(57)【要約】【課題】ダークファイバを利用した光ネットワークを迅速に提供できる光ネットワークの構築方法および構築支援システムの提供。【解決手段】光ネットワークの構成要素となる光ファイバや中継装置部品について、ネットワークに実際に適用される構成要素から実測により特性データを収集し、これらの実測データに基づいてシミュレーションを行うことによって、各サイトに設置すべき中継装置の構成を決定する光ネットワークの構築方法および構築支援システム。【選択図】図１
2004363864.tif 000002
【特許請求の範囲】
【請求項１】
複数区間の光ファイバと、区間の境界に位置した各サイトに設置される中継装置とからなる光ネットワークシステムの構築方法において、
上記各区間に適用される光ファイバの特性実測データを区間と対応付けたファイバデータとして第１の記憶装置に蓄積するステップと、
中継装置の構成要素となる複数種類の部品の特性実測データを、部品種類毎にそれぞれ特性の異なる複数タイプ分ずつ、部品種類と対応づけた部品データとして第２の記憶装置に蓄積するステップと、
上記第１の記憶装置に蓄積されたファイバデータと、上記第２の記憶装置に蓄積された部品データを適用して、計算機によるシミュレーションによって、上記複数区間の光ファイバからなる光ネットワークの各サイトに配置すべき部品を選択し、各サイトに設置される中継装置の構成を決定するシミュレーション・ステップとからなることを特徴とする光ネットワークシステムの構築方法。
【請求項２】
前記第２記憶装置に、それぞれ複数のタイプをもつ光アンプと、光減衰器と、波長分散補償器に関する特性データを蓄積しておき、
前記シミュレーション・ステップで、前記各サイトに設置される中継装置となる光増幅中継装置の構成を決定することを特徴とする請求項１に記載の光ネットワークシステムの構築方法。
【請求項３】
前記シミュレーション・ステップにおいて、前記部品種類毎に適用する部品タイプの組み合せを変えて、前記光ネットワーク上の複数のサイトに対する配置部品を示す複数の部品配置パタンを生成し、各配置パタンに従って前記各サイトに部品を配置した場合の光信号の状態をシミュレーションし、前記部品種類毎に、最終区間の光ファイバ終端で所定の信号基準を満足する部品配置パタンを選択することによって、前記各サイトに設置される中継装置の構成を決定することを特徴とする請求項１または請求項２に記載の光ネットワークシステムの構築方法。
【請求項４】
前記シミュレーション・ステップで決定した前記各サイトと設置すべき中継装置の構成との関係を光ネットワーク構成情報として出力するステップを含むことを特徴とする請求項１〜請求項３の何れかに記載の光ネットワークシステムの構築方法。
【請求項５】
複数区間の光ファイバと、区間の境界に位置した各サイトに設置される中継装置とからなる光ネットワークの構築支援システムであって、
上記各区間に敷設される光ファイバの特性実測データを区間と対応付けたファイバデータとして蓄積する第１の記憶装置と、
中継装置の構成要素となる複数種類の特性実測データを、部品種類毎にそれぞれ特性の異なる複数タイプ分ずつ、部品種類と対応づけた部品データとして蓄積する第２の記憶装置と、
上記第１の記憶装置に蓄積されたファイバデータと、上記第２の記憶装置に蓄積された部品データを適用して、シミュレーションプログラムの実行によって、上記複数区間の光ファイバからなる光ネットワークの各サイトに配置すべき部品を選択し、各サイトに設置される中継装置の構成を決定するデータプロセッサと、
シミュレーション結果として得られた上記各サイトと設置すべき中継装置の構成との関係を光ネットワーク構成情報として出力するための出力装置とからなることを特徴とする光ネットワークの構築支援システム。
【発明の詳細な説明】
【０００１】
【発明の属する技術分野】
本発明は、光ネットワークシステムの構築方法および構築支援システムに関し、特に波長多重（ＷＤＭ：Ｗａｖｅｌｅｎｇｔｈ  Ｄｉｖｉｓｉｏｎ  Ｍｕｌｔｉｐｌｅｘｉｎｇ）光ネットワークシステムの構築方法および構築支援システムに関する。
【０００２】
【従来の技術】
社会インフラストラクチャとしてのＩＰ（Ｉｎｔｅｒｎｅｔ  Ｐｒｏｔｏｃｏｌ）ネットワークの利用範囲が広がるにつれて、高速光通信用の基幹系ネットワークへの需要が高まっている。通信ネットワーク設備を設計し、販売するベンダには、これらの基幹系ネットワークの発注者となる通信事業者（キャリア）の要求に合せて、最適なネットワークシステムを低コストで速やかに設置し、早急に稼動させることが要求される。すなわち、キャリアにとっては、システムの発注から稼動までの期間を短縮できれば、ビジネスチャンスを逸することなく、顧客にタイムリーに通信サービスを提供でき、設備投資を回収できるからである。
【０００３】
通信ネットワークシステムを低コストで迅速に構築、稼動させるためには、ベンダ側には、キャリアが想定するネットワーク構成に対して最適にカスタマイズできる必要充分な機種の通信機器を準備し、ネットワークの設置現場（サイト）での工事と調整作業を可能な限り短時間で完了できる体制が不可欠となる。
【０００４】
図２は、一例として、北米における光基幹ネットワークの構成を示す。
光ネットワークシステムでは、個々の光ファイバの信号伝送容量を大きくするために、同一ファイバ上に波長の異なる複数の光信号を多重化した波長多重伝送（ＷＤＭ：Ｗａｖｅｌｅｎｇｔｈ  Ｄｉｖｉｓｉｏｎ  Ｍｕｌｔｉｐｌｅｘ）が適用されている。しかしながら、光ファイバ上での光信号の伝送特性は、信号光の波長によって異なり、最大伝送距離も信号光の波長によって異なっている。このため、光ネットワークでは、伝送信号の品質を補償するために、伝送距離限界が最短の波長に合わせて、２００〜３００ｋｍ、最長でも５００ｋｍ毎に信号中継サイトを配置し、ここで受信光信号を電気信号に変換し、信号の整形や再生等を行なった後、再び光信号に変換して次の区間に転送する複雑な中継処理（以下、再生中継と呼ぶ）を行なう必要がある。
【０００５】
図２において、太線は光ファイバ伝送路、白丸や白黒二重丸は、中継装置または端局装置等の設置箇所となる信号再生中継サイトを示す。これらのサイトで光信号を再生中継することにより、北米の主要都市をカバーする大規模な光ネットワークシステムが構成されている。尚、多重化された受信光信号を光増幅して中継する簡易な構造の中継装置（以下、光増幅中継装置と呼ぶ）は、図２から省略されている。
【０００６】
上述したように、光ネットワークシステムは、伝送路となる光ファイバと、光信号の中継サイトに設置される光増幅中継装置、信号再生中継装置等の光伝送装置とを基本的な構成要素としている。複数区間の光ファイバを縦続接続した長距離光ネットワークの構築技術として、例えば、特開平８−２０１８６０号には、複数の光ファイバについて群速度遅延（分散）値の平均値を算出しておき、平均値との偏差に従って光ファイバを分別し、群速度分散の積分値が最小となる順序で光ファイバを接続することによって、ソリトン伝送特性を安定化することが提案されている。
【０００７】
【特許文献１】
特開平８−２０１８６０号
【発明が解決しようとする課題】
図２のように複数区間の光ファイバを縦続接続した構成の長距離光ネットワークでは、波長多重された全波長光での伝送信号の信頼性を保証するために、従来の場合、ネットワーク全体として特性が最も悪い光信号、すなわち、伝送距離限界が最も短い波長光に合せて、再生中継装置の配置箇所が決定されている。このため、光ファイバの敷設距離が長くなるに従って、再生中継装置の設置台数も多くなり、伝送距離限界の長い光信号から見ると、伝送過程で必要以上の品質補償を受ける高コストのシステム構成となっている。
【０００８】
光ネットワークシステムの構築あるいは拡張に際して、光ファイバと光伝送装置の両方を新規に導入する場合は、それぞれの製品スペックを考慮し、結果的に最高のパフォーマンスが得られるように、光ファイバの選定と伝送装置のカスタマイズを行うことが可能である。この場合、再生中継装置の設置台数に拘らなければ、キャリアが希望するネットワークシステムの設計は容易であり、光ファイバ敷設後の伝送装置の調整作業も比較的容易に行なうことができる。
【０００９】
然るに、伝送路の敷設範囲が広域に及ぶ光基幹ネットワークの分野では、システムの拡張時やグレードアップ時のみならず、新規ネットワークシステムを構築する場合でも、伝送区間に既に敷設済みの光ファイバを利用するケースが多い。既に敷設済みで現在未使用状態にある光ファイバは、一般にダークファイバと呼ばれており、最近の傾向として、リソースに余裕のある通信事業者（１次キャリア）から他の通信事業者（２次キャリア）へのダークファイバの開放が広まりつつある。
【００１０】
ダークファイバは、地域毎に敷設時期が異なり、ファイバの製造メーカや製造ロットも異っているため、伝送区間によって、光信号の伝送特性に相違がある。また、光ファイバは、同一規格品であっても、原材料の組成や製造プロセスのばらつき等に起因して、その性能に微妙な違いがある。従って、ダークファイバを適用して新たな光ネットワークシステムの構築する場合、適用されるダークファイバの特性に適合させて、各中継サイトに設置すべき伝送装置を決定する必要がある。
【００１１】
ダークファイバの特性は、ファイバ製造元が提供するカタログ等から把握できるが、カタログ情報として与えられる特性値（公称値）と実際に敷設された光ファイバの性能との間には無視できない差異がある。従って、公称値を基準にして各サイトの伝送装置を選択すると、完成したネットワークシステムの特性が設計通りにならない場合が多い。そのため、公称値を基準にしてネットワークシステムを設計する場合は、最悪ケースの発生を想定して、再生中継装置の設置間隔を短くした性能的に余裕のあるシステム構成となってしまう。また、設置作業の工程管理に各サイトでの調整作業を見積る必要があるため、キャリアからの低コスト且つ迅速なシステム稼動要求を満たすことが困難となる。
【００１２】
ベンダによっては、適用する光ファイバに応じて中継装置の最適化を省略し、各サイトに標準仕様の伝送装置を設置した後、ファイバ区間の状況に応じて装置交換を行なうようにした光伝送システムの導入方法も採用されている。しかしながら、端局装置間に多数の中継装置が多段接続される大規模な光ネットワークになると、中継サイトに標準仕様の伝送装置を配置する方式では、各サイトでの信号品質の確認と、交換すべき伝送装置の決定に時間を要するため、結果的に極めて非効率的な調整作業が必要となる。
【００１３】
本発明の目的は、光増幅中継装置による光信号の中継区間を延長可能な光ネットワークシステムの構築方法および構築支援システムを提供することにある。
本発明の他の目的は、再生中継装置の設置台数を低減可能な低コストの光ネットワークシステムの構築方法および構築支援システムを提供することにある。
本発明の更に他の目的は、ダークファイバを利用する場合でも、光ネットワークシステムを迅速に構築可能な光ネットワークシステムの構築方法および構築支援システムを提供することにある。
【００１４】
【課題を解決するための手段】
上記目的を達成するために、本発明は、光ネットワークシステムの構成要素について、ネットワークに実際に適用される構成要素の実測により特性データを収集し、これらの実測データに基づいてシミュレーションを行うことによって、各サイトに設置すべき中継装置の構成を決定することを特徴とする。
【００１５】
更に具体的に言うと、本発明は、複数区間の光ファイバと、ファイバ区間の境界に位置した各サイトに設置される中継装置とからなる光ネットワークシステムの構築方法において、（Ａ）上記各区間に適用される光ファイバの特性実測データを区間と対応付けられたファイバデータとして第１記憶装置に蓄積するステップと、（Ｂ）中継装置の構成要素となる複数種類の部品の特性実測データを、部品種類毎にそれぞれ特性の異なる複数タイプ分ずつ、部品種類と対応づけられた部品データとして第２記憶装置に蓄積するステップと、（Ｃ）上記第１記憶装置に蓄積されたファイバデータと、上記第２記憶装置に蓄積された部品データを適用して、計算機によるシミュレーションによって、上記複数区間の光ファイバからなる光ネットワークの各サイトに配置すべき部品を選択し、各サイトに設置される中継装置の構成を決定するシミュレーション・ステップとからなることを特徴とする。
【００１６】
上記部品データとして、例えば、光アンプと、光減衰器等の微調整部品と、波長分散補償器に関する特性データを用意することにより、各サイトに設置される光増幅中継装置の構成を決定することが可能となる。また、ファイバデータとして、ルートサーベイによって既に敷設済みの光ファイバで測定した特性データを適用すれば、既存のダークファイバを利用した光ネットワークシステムの構築が可能となる。
【００１７】
本発明による光ネットワークシステムの構築方法の１つの特徴は、シミュレーション・ステップにおいて、部品種類毎に適用する部品タイプの組み合せを変えて、上記光ネットワーク上の複数のサイトに対する配置部品を示す複数の部品配置パタンを生成し、各配置パタンに従って上記各サイトに部品を配置した場合の光信号の状態をシミュレーションし、部品種類毎に、最終区間の光ファイバ終端で所定の信号基準を満足する部品配置パタンを選択することによって、上記各サイトに設置される中継装置の構成を決定することにある。
【００１８】
このように、構築対象となる光ネットワーク上の複数のサイトに予め部品を配置した状態でシミュレーションを行なうと、光ネットワークの全体的な信号伝送状態を把握できるため、仮に信号経路上の一部のサイトで光信号の状態が所望の基準に達していなくても、最終的にネットワーク終端で所定の基準を満していれば、信号中継には支障がないことが判明する。
従って、光増幅中継装置の構成要素となる各部品について、上述したシミュレーションによって、各サイトに配置すべき部品タイプを決定できた場合、構築対象区間の全てのサイトを光増幅中継装置で構成することができ、光再生中継装置の設置台数を減少させることが可能となる。
【００１９】
本発明による光ネットワークシステムの構築方法の他の特徴は、シミュレーション・ステップで決定した各サイトと設置すべき中継装置の構成との関係を光ネットワークシステム構成情報として出力することにある。
【００２０】
シミュレーション結果として出力された上記光ネットワークシステム構成情報を利用すれば、現地において、各サイトへの中継装置の設置作業を容易に行なうことができ、隣接する光ファイバを次々と結合することが可能となる。また、本発明によれば、構成要素の実測データに基づくシミュレーションによって、ネットワーク終端で光信号が所定の基準を満たすことが予測されているため、構築を完了した光ネットワークシステムにおいて、エンド・エンドでの信号テストでネットワーク性能を確認することにより、光ネットワークシステムの構築作業を速やか完了することが可能となる。
【００２１】
本発明による光ネットワークの構築支援システムは、各区間に敷設される光ファイバの特性を示す実測データを区間と対応付けられたファイバデータとして蓄積する第１の記憶装置と、中継装置の構成要素となる複数種類の部品について、部品種類毎にそれぞれ複数タイプ分ずつ、部品特性を示す実測データを部品種類と対応づけて蓄積する第２の記憶装置と、上記第１の記憶装置に蓄積されたファイバデータと、上記第２の記憶装置に蓄積された部品特性データを適用して、シミュレーションプログラムの実行によって、複数区間の光ファイバからなる光ネットワークの各サイトに配置すべき部品を選択し、各サイトに設置される中継装置の構成を決定するデータプロセッサと、シミュレーション結果として得られた上記各サイトと設置すべき中継装置の構成との関係を光ネットワーク構成情報として出力するための出力装置とからなることを特徴とする。
【００２２】
上記第１の記憶装置には、ファイバデータとして、例えば、各光ファイバ区間のファイバ長、光損失、反射特性、波長分散（Ｃｈｒｏｍａｔｉｃ  Ｄｉｓｐｅｒｓｉｏｎ）、偏波モード分散の実測値が蓄積される。
光増幅中継装置に採用される光アンプは、一般的に、光出力レベルが一定になるように制御される。その理由は、光出力レベルが低いと信号のＳ／Ｎが劣化し、逆に光出力レベルが高過ぎると、ファイバの非線形効果によって信号が劣化するからである。光ファイバで発生する損失は、ファイバの特性や経路長によって変化するが、事前に光ファイバの損失値を測定しておけば、各サイトにおける光アンプの出力レベルを一定に制御することにより、次サイトでの光信号入力レベルを計算でき、採用すべき光アンプの利得を決定できる。
【００２３】
波長分散は、光ファイバ内での光伝播速度の波長依存性を示し、波長分散特性とその分散スロープは、光ファイバの長さ、種類、製造ロットによって異なる。また、光ファイバ中を伝播する各光信号は、それぞれ異なる偏波によって構成されており、偏波モード分散は、偏波に依存した伝播速度の変化を示している。偏波分散特性は、光ファイバの種類、製造ロット、ファイバ敷設状態によって異なる。波長分散と偏波モード分散は、実質的に送信パルス幅を広げ、伝送特性を劣化させるため、各中継装置には、光ファイバで発生する波長分散、偏波モード分散に応じた波長分散補償器を採用する必要がある。
【００２４】
光ファイバを敷設する場合、敷設工事の都合でファイバを融着接続したり、中継装置との接続の都合で光コネクタを採用する必要がある。このため、各光ファイバ区間内で各種の接続ポイントが存在し、これらの接続ポイントで光反射が発生する。光反射が発生すると、見かけ上の信号パワーが過剰に損失したり、光アンプに悪影響を与えたり、２つの反射点間で発生する多重反射が伝送特性を劣化させる原因となる。実測反射量が大き過ぎる場合は、反射面を清浄化した後、再度、ファイバ特性を測定し直す必要がある。
【００２５】
【発明の実施の形態】
以下、本発明の実施例について図面を参照して説明する。
先ず、本発明の理解を容易にするために、図３と図４を参照して従来の光ネットワークの構築方法について述べる。
図３は、図２における再生中継装置６Ａの設置サイトＡと、再生中継装置６Ｄの設置サイトＤとの間のネットワーク構造を簡略的に示している。サイトＡ〜サイトＤ間には、再生中継装置６（６Ｂ、６Ｃ）をもつサイトＢ、サイトＣが配置され、これらの再生中継装置の間に、更に、図２では省略されている光増幅中継装置７（７Ｅ〜７Ｇ）をもつサイトＥ〜サイトＧが配置されている。
【００２６】
図４は、サイトＡ〜Ｄに設置される再生中継装置６の構成を示す。
光ファイバＳｉを伝送中に減衰した波長多重光は、受信光アンプ６１で増幅した後、波長分離器６２でそれぞれ単一波長をもつｎ系列の信号光に分離される。波長別に分離された各信号光は、光／電気変換部（Ｏ／Ｅ）６３（６３−１〜６３−ｎ）で電気信号に変換した後、再生処理部６４（６４−１〜６４−ｎ）に入力され、波形整形や増幅等の信号再生処理を受ける。再生処理部６４（６４−１〜６４−ｎ）から出力された電気信号は、電気／光変換部（Ｅ／Ｏ）６５（６５−１〜６５−ｎ）で、再度、波長別の光信号に変換され、波長多重部６６で多重化される。波長多重部６６から出力された波長多重光は、送信光アンプ６７で所定の出力レベルに増幅され、次の区間の光ファイバＳｉ＋１に出力される。
【００２７】
上記構成から明らかなように、再生中継装置６は、前区間の光ファイバから受信した波長多重光信号を波長別の単一電気信号に変換した後、信号再生処理を行い、再び、波長多重化された光信号に戻す複雑な構造となっているため、今後、より高密度の波長多重光伝送が普及すると、波長別の信号処理回路の個数が増加し、装置規模の大型化と装置コストの上昇が必須となる。
【００２８】
これに対して、サイトＥ〜サイトＧに設置される光増幅中継装置７は、受信光信号を波長多重光のまま増幅する光増幅装置を主体とする簡単な構成となっているため、再生中継装置６に比較して、装置の規模、コスト、設置スペース等の面で非常に有利になっている。従って、ネットワークシステム全体としてみた時、光増幅中継装置６による中継区間を延長し、再生中継装置６の設置個数を減らすことができれば、システムコストの面で極めて有利となる。
【００２９】
本発明は、図５に示すように、従来の光ネットワークでサイトＡ〜サイトＤ間に配置されていた再生中継装置６（６Ｂ、６Ｃ）を光増幅中継装置８（８Ｂ、８Ｃ）に置き換え、光増幅中継装置による中継区間を延長可能にした光伝送システムおよび構築支援システムを提供するものである。
【００３０】
光増幅中継装置による中継区間を延長するために、本発明では、再生中継装置６Ａと６Ｄとの間の各光ファイバＳｉ（ｉ＝１〜６）の特性を実測し、これらのファイバ区間が光増幅中継装置による信号中継に適合するか否かをシミュレーションによって評価し、もし可能であれば全サイトに光増幅中継装置８（８Ｅ〜８Ｇ）を配置し、再生中継装置６の設置個数を減らすことを特徴とする。
【００３１】
図６は、本発明で採用する光増幅中継装置８の１実施例を示す。
光増幅中継装置８は、入力側の光ファイバＳｉからの入力光信号を所定の出力レベルに増幅する光アンプ８１と、出力側光ファイバＳｉ＋１に出力される波長多重光信号の信号レベルを微調整する光減衰器（ＡＴＴ）８２と、分散補償器（ＤＣＦ）８３とからなる。光アンプ８１は、光アンプ８１０と、利得スロープ補正器８１１とからなり、上記ＤＣＦ８３は、入出力線８１２を介して光アンプ８１０の内部に組み込まれている。
【００３２】
光アンプ８１０として、例えば、アンプ利得に波長依存性をもつＥＤＦＡ型のものを適用すると、利得平坦性に傾き（利得スロープ）が発生し、出力光信号レベルが波長によって異なる。また、入力側光ファイバＳｉで発生する光損失の波長依存性も、上記光アンプ８１０の出力光信号における利得平坦性の劣化原因となる。利得スロープ補正器８１１は、これらの原因で光アンプ８１０の出力光信号に現れる利得平坦性の傾き（利得スロープ）を補正するためのものである。
【００３３】
本発明では、光アンプ８１、光減衰器８２、ＤＣＦ８３等の部品として、特性の異なる複数タイプの部品を予め準備しておき、実際に測定して得られた光ファイバＳ１〜Ｓ６の特性（光損失、反射、波長分散、偏波モード分散など）に適合した部品を組み合せ、最終サイトＤでの入力光信号が目標基準を満足するように、各サイトの光増幅中継装置８を構成する。
【００３４】
サイトＥ〜Ｇに設置すべき光アンプ８１と光減衰器（ＡＴＴ）８２のタイプは、光ファイバＳ１〜Ｓ６で発生する光損失量に応じて、最終サイトＤの入力光信号が目標レベルとなる組み合せで選択される。分散補償器（ＤＣＦ）８３は、光信号が伝播中に波長分散や偏波モード分散によって発生する光信号歪を補償するためのものであり、光ファイバＳ１〜Ｓ６の波長分散特性や偏波モード分散特性に応じて選択される。尚。光アンプ８１としては、例えば、アンプ８１０の出力光信号に−０．２ｄＢ／ｎｍの利得スロープが発生する箇所には、利得平坦性が＋０．２ｄＢ／ｎｍの利得スロープ補正器８１１を備えたアンプを適用することによって、多重化光信号の各波長の信号レベルを均一化する。
【００３５】
図７は、アンプ８１０の出力信号に発生する利得スロープと、利得スロープ補正器８１１の特性との関係を示す。
図（Ａ）は、アンプ８１０の出力信号利得Ｐが多重化された全波長λにわたって平坦となっているため、利得平坦性に傾きのない利得スロープ補償器８１１ａが適用された場合を示す。図（Ｂ）は、アンプ８１０の出力信号利得Ｐが、高波長側で次第に劣化するマイナス特性の利得スロープとなっているため、利得平坦性の傾きがプラス特性の利得スロープ補償器８１１ｂが適用された場合を示す。図（Ｃ）は、アンプ８１０の出力信号利得Ｐが、短波長側で次第に劣化するプラス特性の利得スロープとなっているため、利得平坦性の傾きがマイナス特性の利得スロープ補償器８１１ｃが適用された場合を示す。
【００３６】
このように、アンプで発生する利得スロープの特性に応じた利得スロープ補償器８１１を適用することによって、光アンプ８１から全波長にわたって均一利得の多重化光出力を得ることができる。
光アンプの光出力信号レベルが低いと、信号がノイズに埋もれてしまいＳ／Ｎが劣化し、逆に、光出力レベルが高いと、４波混合などのファイバ非線形効果の影響を受けて信号が劣化してしまう。利得スロープ補償器８１１は、光アンプ出力信号の利得平坦性を確保することにより、全ての波長においてＳ／Ｎの劣化や非線形効果による信号劣化を防止し、光信号の長距離伝送を可能とする。
【００３７】
本発明では、上述した光アンプ８１、微調整用の光減衰器（ＡＴＴ）８２、分散補償器（ＤＣＦ）８３の組み合せをシミュレーションにより最適化することによって、光増幅中継装置８で中継可能な光ファイバ区間を延長し、再生中継装置の設置サイト数を減少したことを特徴とする。
【００３８】
図１は、本発明による光ネットワークシステム構築方法の全体的なフローチャートを示す。
本実施例では、構築対象となる光ネットワーク区間で採用する光ファイバに関して、メーカが提供するカタログまたは仕様表から、光ファイバの規格データを収集する（ステップ１０１）。データ収集対象となる光ファイバは、例えば、図５に示したＳ１〜Ｓ６であり、これらの光ファイバは、既に敷設済みのダークファイバであっても、新たに敷設する光ファイバであってもよい。また、収集される光ファイバの規格データは、例えば、各光ファイバの伝送特性を示す伝送損失、波長分散等の値である。
【００３９】
次に、上記規格データに基づいて、各中継サイトで必要となる伝送装置の構成部品を設計し（１０２）、製造する（１０３）。ここで言う伝送装置は、本実施例の場合、光増幅中継装置８と、最終サイトの再生中継装置（例えば、６Ｄ）の入力部であり、設計される伝送装置部品には、図６に示した光増幅中継装置８の光アンプ８１、光減衰器（ＡＴＴ）８２、分散補償器（ＤＣＦ）８３と、図４に示した再生中継装置の受信用光アンプ６１と、この光アンプに組み込む分散補償器（ＤＣＦ）が含まれる。
【００４０】
本発明では、これらの各部品について、規格データに最適化した標準部品と、規格データを中心として或る範囲内をカバーできるように、特性が標準部品とは若干異なるオプション部品とを含む複数タイプのものを用意する。
例えば、光アンプ８１としては、アンプ８１０の利得（波長依存性）と利得スロープ補償器８１１との組み合せが異なるもの、光減衰器８２としては減衰量の異なるもの、分散補償器８３としては分散値の異なるものが、それぞれ複数タイプずつ用意される。後述するシミュレーション（１０６）では、これら複数種類、複数タイプの部品を前提として、各中継サイトでの部品の適合性を評価し、採用すべき光増幅中継装置の構造が決定される。
【００４１】
例えば、ファイバの規格データから、利得スロープ、分散値、減衰量の最適値（標準値）が、それぞれ「＋２ｄＢ／ｎｍ」、「１００ｐｓ／ｎｍ」、「１．５ｄＢ」で、部品毎に特性の異なる５種類（タイプ）のものを用意すると仮定する。この場合、光増幅中継装置用の光アンプ８１としては、利得スロープが「−２ｄＢ／ｎｍ」、「０ｄＢ／ｎｍ」、「＋２ｄＢ／ｎｍ」、「＋４ｄＢ／ｎｍ」、「＋６ｄＢ／ｎｍ」の５種類を用意し、分散補償器８３にとしては、その分散値が「０ｐｓ／ｎｍ」、「５０ｐｓ／ｎｍ」、「１００ｐｓ／ｎｍ」、「１５０ｐｓ／ｎｍ」、「２００ｐｓ／ｎｍ」の５種類、光減衰器８２としては、減衰量が「０．５ｄＢ」、「１．０ｄＢ」、「１．５ｄＢ」、「２．０ｄＢ」、「２．５ｄＢ」の５種類を用意する。
尚、再生中継装置の受信用光アンプ６１は、出力レベルに関する制約が光増幅中継装置用の光アンプ８１とは異なるため、光アンプ８１とは別に、再生中継装置用として複数タイプのものを用意する。
【００４２】
部品種別の決定に際しては、実績データファイル２０に登録された過去の部品データが参照され、当然のことながら、既に存在する部品については、設計、製造の対象外となる。このように特性の異なる部品を予め複数タイプずつ用意しておくことにより、シミュレーションを容易にし、シミュレーション結果に基づく実システムの構築を迅速化することが可能となる。
【００４３】
次に、シミュレーションに適用する装置部品の実測データを収集する（１０４）。各部品の仕様データについては、部品の設計値から既知となるが、実際に製造された部品には、製造プロセスで発生する製造誤差やばらつきがあるため、各部品の仕様データをそのままシミュレーション用のパラメータ値に適用すると、シミュレーション精度が低下し、結果的に、目標性能の未達や現地での調整作業の時間を要する等の不都合を招くことになる。
【００４４】
そこで、本発明では、製造された各部品の特性を測定して部品の実際の特性データを収集し、これらの部品データを装置データファイル３０に蓄積する。シミュレーションのモデルデータとして採用するためには、部品毎に一定量の母数データを収集し、必要に応じて統計処理を施した上で、装置データファイル３０に各部品種類の特性データとして蓄積する。
同様の理由で、光ネットワークの構成要素となる各伝送区間の光ファイバ（Ｓ１〜Ｓ６）の特性についても、実測データを収集し、これをファイバデータファイル４０に蓄積する（１０５）。
【００４５】
本発明では、上記データファイル３０、４０に蓄積された装置データおよびファイバデータと、必要に応じてデータファイル２０が示す過去の実績データを利用して、シミュレータ１０でシミュレーションを行い、各サイトに配置すべき伝送装置（光増幅中継装置）の構成を決定し（１０６）、これをシミュレーション結果として出力する（１０７）。
【００４６】
シミュレーション結果は、サイト毎に使用すべき光増幅中継装置８の構成部品８１〜８３の種類を指定しているため、各サイトにおいて、シミュレーション結果に従った装置構造で隣接光ファイバを接続することにより、ネットワークの構築（１０８）を速やかに完了することが可能となる。光増幅中継装置８の設置が完了すると、テスト信号によりネットワークの性能を試験し、必要に応じて微調整作業を施して、システムの正常稼動を確認する（１０９）。試験の結果は、実績データファイル２０に反映し（１１０）、その後のシステム設計に反映させる。
【００４７】
図８は、シミュレータ１０の１実施例を示すブロック図である。
シミュレータ１０は、プロセッサ（ＣＰＵ）１１と、入出力装置１２と、プロセッサ１１が実行するシミュレーションプログラムを記憶したプログラムメモリ１３と、シミュレーション用の基礎データを記憶するメモリ１４と、シミュレーション過程で発生したデータを記憶するデータメモリ１５と、実績データファイル２０とからなっている。
【００４８】
プログラムメモリ１３には、シミュレーションプログラム２００と、波長分散補償器（以下、ＤＣＦと言う）の配置評価アルゴリズム２２０と、微調整部品である減衰器（以下、ＡＴＴと言う）の配置評価アルゴリズム２３０と、光アンプの配置評価アルゴリズム２４０と、実績データ管理ルーチン２５０とが用意されている。
【００４９】
図１で説明した装置データファイル３０の内容は、入出力装置１２を介して、部品別に、メモリ１４のＤＣＦデータファイル領域３１、ＡＴＴデータファイル領域３２、光アンプデータファイル領域３３に読み込まれ、ファイバデータファイル４０の内容は、メモリ１４のファイバデータファイル領域４１に読み込まれる。
【００５０】
シミュレーションは、メモリ１４に読み込まれた部品データとファイバデータを利用して行なわれ、ＤＣＦ評価アルゴリズム２２０の実行によって決定されたＤＣＦの配置結果は、データメモリ１５にＤＣＦ配置結果データ５１として記憶される。また、ＡＴＴ配置評価アルゴリズム２３０の実行によって決定されたＡＴＴの配置結果は、データメモリ１５にＡＴＴ配置結果データ５２として記憶され、光アンプ配置評価アルゴリズム２４０の実行によって決定された光アンプの配置結果は、データメモリ１５に光アンプ配置結果データ５３として記憶される。シミュレーションの最終結果は、実績データ管理ルーチン２５０によって、実績データファイル２０に登録され、伝送装置の設置作業に適したシステム構成リスト９０として印刷出力される。
【００５１】
図９は、装置データファイル３０からＤＣＦデータファイル領域３１に読み込まれるＤＣＦデータ３１０の１例を示す。ＤＣＦデータ３１０は、ＤＣＦ（波長分散補償器）のタイプ番号３１１と対応してＤＦＣ波長分散補償値３１２を示した複数のエントリからなる。
ＤＣＦ配置評価アルゴリズム２２０は、光ネットワークに使用される光ファイバ（Ｓ１〜Ｓ６）の種類、波長分散、ファイバ長等の要因の組み合せに応じて、ＤＣＦデータ３１０が示すＤＣＦの中から、予め決められたアルゴリズムに従って、各サイトに配置すべきＤＣＦタイプを決定する。
【００５２】
図１０は、装置データファイル３０からＡＴＴデータファイル領域３２に読み込まれるＡＴＴデータ３２０の１例を示す。ＡＴＴデータ３２０は、ＡＴＴ（光減衰器）のタイプ番号３２１と対応して光減衰量３２２を示した複数のエントリからなる。
ＡＴＴ（光アッテネータ）８１は、図８で説明したように、光アンプ８１の後に設置される。ＡＴＴ配置評価アルゴリズム２３０は、光ネットワークに使用される光ファイバ（Ｓ１〜Ｓ６）の種類、ファイバ長等の要因の組み合せに応じて、ＡＴＴデータ３２０が示すＡＴＴの中から、予め決められたアルゴリズムに従って、各サイトに配置すべきＡＴＴタイプを決定する。
【００５３】
図１１は、装置データファイル３０から光アンプデータファイル領域３３に読み込まれる光アンプデータ３３０の１例を示す。
光アンプデータ３３０は、光アンプのタイプ番号３３１と対応して、光アンプへの入力が基準値（ここでは、−１９ｄＢｍ）の場合の雑音指数ＮＦ３２２と、チャネルＣＨ１（波長１５３０ｎｍ）〜ＣＨ１６（波長１５００ｎｍ）別の出力信号値３３３との関係を示している。雑音指数ＮＦが低ければ低いほど、光アンプ内で発生する雑音による信号劣化が少なくなり、光信号の伝送距離を長くできる。出力信号値（出力レベル）３３３は、図６で示したアンプ８１０部分の波長依存性を示している。光アンプの種別によって利得スロープが異なっているが、これらの利得スロープは、アンプ８１０に付随する利得スロープ補償器８１１によって補償される。
【００５４】
図１２は、ファイバデータファイル４０からファイバデータファイル領域４１に読み込まれるファイバデータ４１０の１例を示す。
ファイバデータ４１０は、光ファイバ区間４１１と対応して、ファイバタイプ４１２と、ファイバ長４１３と、反射減衰量４１４と、このファイバで発生する偏波分散の総量を示すＰＭＤ４１５と、波長４１６で発生する光損失量４１７と、波長４１６で発生する波長分散量４１８を示している。
ここでは、光ファイバ区間４１１は、各ファイバ区間の両端に位置したサイト名称で特定されている。例えば、Ａ−Ｅは、図５におけるサイトＡとＥとの間に敷設されたファイバＳ１に相当し、Ｅ−Ｂは、サイトＥとＢとの間に敷設されたファイバＳ２に相当している。
【００５５】
ファイバタイプ（種類）４１２としては、例えば、ＤＳＦ、ＮＺＤＳＦ、ＳＭＦなどがあり、ファイバタイプによって特性が大きく異なる。一般的に、ＳＭＦは波長分散が大きいため、信号の劣化要因となる非線形効果の４波混合が起こりにくい。このため、波長数の多い高密度波長多重化に適しているが、大規模な波長分散補償が必要となる。ＤＳＦは、波長分散が少ないため、分散補償器は小規模で済むが、４波混合が起こり易いため、高密度の波長多重化が困難となる。ＮＺＤＳＦは、ＳＭＦとＤＳＦの中間的の特性を持っている。従って、ファイバ種類によって、その区間が波長多重化に適しているか否かを判断できる。
【００５６】
ファイバ長４１３は、ダークファイバの場合は、例えば、光パルス試験機（ＯＴＤＲ）等で測定されたファイバ長を示す。ファイバ長４１３と、損失４０７から単位距離（例えば、１ｋｍ）当たり損失量を算出することによって、ファイバの劣化具合を推定でき、例えば、１ｋｍあたりの損失が著しく大きい場合、原因として、ファイバの結合部（コネクタ部）における汚れ等が考えられるため、該当個所の点検と清浄化が必要となる。
【００５７】
反射減衰量４１４は、ＯＴＤＲ等で測定されたファイバ結合部や曲がり部分で発生する光反射による減衰量と、ファイバ起点からの測定した該当箇所までの距離を示している。反射減衰量が多い場合、その対策として、ファイバ結合部の清浄化、曲がり部分の矯正が必要となる。ＰＭＤ４１５が示す偏波分散の総量は、特に１０Ｇｂｉｔ／ｓ以上の高速伝送時の信号劣化要因となるため、ＲＭＤの値が高い場合は、偏波分散の少ない別のファイバに変更する必要がある。
【００５８】
損失４１７は、光信号劣化の要因となる。光アンプ８１は、波長毎の出力レベルが固定されているため、入力側の光ファイバで発生する損失によって、光アンプの利得が変動し、アンプ出力の利得偏差に影響を及ぼす。また、光ファイバ内で発生する損失も波長依存性をもつため、光アンプの利得と、入力信号に発生する波長別の損失を考慮して、利得平坦性を保つようにシミュレーションを行なう必要がある。また、波長分散４１８が示す波長分散は、信号の劣化要因となるため、波長分散補償器による補正が必要がある。
【００５９】
ファイバデータの収集過程で、反射減衰量や損失量の値から結合部の清浄化や曲がり部分の矯正が必要と判断された場合は、現場で必要な補修処置を施した後、再度、測定を繰り返す。データ領域４１に読み込まれるファイバデータ４１０は、上述した補修処置を行った後の各光ファイバ区間の測定値を示している。
【００６０】
複数区間の光ファイバを中継装置で縦続接続して構成する光ネットワークでは、そのうちの１区間であっても過剰な損失が発生していれば、その区間でＳ／Ｎが著しく劣化するため、光ネットワーク全体に致命的障害となるが、本発明では、光ネットワークに適用する各ファイバについて、特性データを実測するようにしているため、光損失の実測値が異常に高い場合は、その時点で障害ファイバに対して適切な改善処置を施すことができる。また、このような障害を除外した光ファイバの特性データに基づいて、各中継装置の構成を決定するようにしているため、その後に行なわれる現場での光ネットワークの構築作業が極めて容易になる。
【００６１】
図１３は、プロセッサ１１が実行するシミュレーションプログラム２００の１実施例を示すフローチャートを示す。
シミュレーションプログラム２００では、先ず、装置データファイル３０とファイバデータファイル４０の内容をデータメモリ１４に読み込み、ＰＣＦデータファイル３１、ＡＴＴデータファイル３２、光データファイル３３、ファイバデータファイル４１を作成する（ステップ２１０）。
【００６２】
シミュレーションプログラム２００では、この後、ＤＣＦ配置評価アルゴリズム２２０、ＡＴＴ配置評価アルゴリズム２３０、光アンプ配置評価アルゴリズム２４０を順次に実行し、最後に、実績データ管理ルーチン２５０を実行して、シミュレーション結果として得られた光伝送システムの構成データを設置作業用として印刷出力すると共に、実績データファイル２０に登録する。
【００６３】
ＤＣＦ配置評価アルゴリズム２２０では、図１４に示すように、データメモリ１４のファイル領域３１、４１からＤＣＦデータとファイバデータを読み出し（ステップ２２１）、光ファイバ区間４１１の境界（サイト）に設置すべきＤＣＦの組み合わせを変えて、複数のＤＣＦ配置パタンからなるＤＣＦ配置パタンテーブル５１０を作成する（２２２）。
【００６４】
例えば、図５に示した光ファイバＳ１〜Ｓ６からなる光ネットワークを構築する場合、ここで生成されるＤＣＦ配置パタンテーブル５１０は、図１７に示すように、配置パタン番号５１１をもつＮ個のエントリ５１０−１〜５１０−Ｎからなる。各エントリは、光ネットワークＳ１〜Ｓ６上の各サイトＥ〜Ｄに配置するＤＣＦのタイプ５１２を示しており、エントリ毎にＤＣＦの組み合わせが異なっている。
【００６５】
エントリ５１０−１の配置パタンは、全てのサイトにタイプ番号１のＤＣＦ（波長分散補償値＝−１００ｐｓ／ｎｍ）を配置することを示し、エントリ５１０−Ｎの配置パタンは、全てのサイトにタイプ番号ＮのＤＣＦ（波長分散補償値＝２００ｐｓ／ｎｍ）を配置することを示している。また、エントリ５１０−ｎは、サイトＦでＤＣＦ配置を省略したＤＣＦ配置パタンを示している。
【００６６】
ＤＣＦ配置パタンテーブル５１０の作成後、シミュレーション対象エントリの指定パラメータｉの値を初期値１に設定し（２２３）、サイトＥ〜Ｄに配置パタン（ｉ）でＤＣＦを配置した場合の波長分散補償効果をシミュレーションして、その性能を評価する（２２４）。シミュレーション結果から、光ネットワークのエンド・エンド間で、予め決められた光ＳＮ比、波形歪等の性能基準を満足したか否かを判定する（２２５）。
【００６７】
配置パタン（ｉ）で性能基準を満たせない場合は、パラメータｉの値をインクリメントし（２２６）、ステップ２２４に戻って、次の配置パタンでシミュレーションを繰り返す。配置パタン（ｉ）で性能基準を満足した場合は、ＤＣＦ配置パタンが確定する（２２７）。この場合、メモリ１５の領域５１に、上記配置パタン（ｉ）が示すサイトＥ〜Ｄと配置すべきＤＣＦタイプとの関係をＤＣＦ配置結果データとして記憶し、ＤＣＦ配置評価アルゴリズムを終了する。
【００６８】
ＡＴＴ配置評価アルゴリズム２３０では、図１５に示すように、メモリ１４のファイル領域３２と４１から、ＡＴＴデータとファイバデータを読出し、メモリ１５の領域５１からＤＣＦ配置結果データを読み出す（２３１）。次に、ＤＣＦ配置パタンテーブルと同様、光ファイバ区間４１１の境界部（サイト）に設置すべきＡＴＴの組み合わせを変えて、複数のＡＴＴ配置パタンエントリを含むＡＴＴ配置パタンテーブルを作成する（２３２）。但し、再生中継装置が配置される最終サイトＤは、ＡＴＴ配置の対象外となる。
【００６９】
次に、シミュレーション対象エントリの指定パラメータｉの値を初期値１に設定し（２３３）、各サイトに配置パタン（ｉ）でＡＴＴを配置した場合の光信号調整効果をシミュレーションし、その性能を評価する（２３４）。ＡＴＴのシミュレーションモデルには、光ファイバデータの他にＤＣＦ配置結果データも含め、入力光信号に対するＤＣＦの挿入効果を考慮に入れる。
【００７０】
シミュレーション結果を判定し（２３５）、エンド・エンド間で所定の性能基準を満足した場合は、ＡＴＴ配置パタンを確定し（２３７）、配置パタン（ｉ）が示すサイトＥ〜ＤとＡＴＴタイプとの関係をメモリ１５の領域５２にＡＴＴ配置結果データとして記憶し、ＡＴＴ配置評価アルゴリズムを終了する。配置パタン（ｉ）では基準が満たされない場合は、パラメータｉの値をインクリメントし（２３６）、ステップ２３４に戻って、次の配置パタンについてシミュレーションを繰り返す。
【００７１】
光アンプ配置評価アルゴリズム２４０では、図１６に示すように、メモリ１４のファイル領域３３と４１から、光アンプデータとファイバデータを読出し、メモリ１５の領域５１、５２からＤＣＦ配置結果データとＡＴＴ配置結果データを読み出す（２４１）。次に、光ファイバ区間４１１の境界部（サイト）に設置すべき光アンプについて、エントリ毎にアンプ種類（タイプ）の組み合わせを変えて、複数の光アンプ配置パタンエントリを含む光アンプ配置パタンテーブルを作成する（２４２）。但し、最終サイトＤには、再生中継装置用として準備された光アンプ群の中から設置すべき光アンプを選択する。
【００７２】
次に、シミュレーション対象エントリの指定パラメータｉの値を初期値１に設定し（２４３）、各サイトに配置パタン（ｉ）で光アンプを配置した場合の光信号出力をシミュレーションし、その性能を評価する（２４４）。光アンプのシミュレーションには、光ファイバデータの他に、ＤＣＦ配置結果データとＡＴＴ配置結果データも利用し、入力光信号に対するＤＣＦとＡＴＴの挿入効果を考慮に入れて、各光アンプからの光信号出力をシミュレーションする。
【００７３】
シミュレーション結果を判定し（２４５）、エンド・エンド間で所定の性能基準を満足した場合は、光アンプ配置パタンを確定し（２４７）、配置パタン（ｉ）が示すサイトＥ〜Ｄと光アンプ種類との関係をメモリ１５の領域５３に光アンプ配置結果データとして記憶し、光アンプ配置評価アルゴリズムを終了する。配置パタン（ｉ）では基準が満たされない場合は、パラメータｉの値をインクリメントし（２４６）、ステップ２４４に戻って、次の配置パタンについてシミュレーションを繰り返す。
【００７４】
図１３の最終ステップ２５０では、上記シミュレーションでメモリ１５に記憶されたＤＣＦ配置結果データ、ＡＴＴ配置結果データ、光アンプ配置結果データがファイバデータ４００と関連付けて、実績データファイルに追加される。また、各サイトに設置すべきＤＣＦ、ＡＴＴ、光アンプを指定したネットワーク構成情報９０が印刷出力される。
【００７５】
上記実施例において、本発明の特徴は、複数のサイトへの部品配置パタンを予め配置パタンテーブルに用意しておき、各配置パタンでのシミュレーションの結果、エンド・エンド間で所定の性能基準を満足するか否かを判定することにある。すなわち、本発明では、シミュレーションによって、図５のネットワークにおける最終サイトＤでの受信光信号が目標基準を満足するような部品配置パタンを見出すことに特徴があり、構築ネットワークの途中にある個々のサイトＥ〜Ｇでの目標基準の達成は必須条件ではない。
【００７６】
従来のシミュレーション技法では、例えば、各サイトに配置すべき光増幅中継装置（または部品）を決定する場合に、最初のサイトに対して選択可能な複数タイプの光増幅中継装置を順次に適用して、性能基準を満たす光増幅中継装置の対応を決定し、同様の手順で、残りの各サイトについて、サイト毎に性能基準を満たす光増幅中継装置のタイプを順次に決定するのが一般的である。
【００７７】
この場合、後続する光ファイバの特性と残りサイトを考慮することなく、各サイトでのシミュレーションが行なわれ、各ファイバ区間で発生した光損失や分散による信号歪を完全に補償することを目指してサイト毎の光増幅装置が構成されるため、構築すべきネットワーク区間の途中で目標性能を達成できなかった場合は、そこに中継再生装置を配置するネットワーク構成となってしまう。また、最終サイトには、信号経路上の各サイトでのシミュレーション誤差が蓄積して現れるため、実際に構築されたネットワークがシミュレーション通りの性能を示さない場合がある。
【００７８】
これに対して、本発明では、部品配置パタンに従って全サイトに部品を配置した状態でシミュレーションを実行し、エンド・エンド間、すなわち、最終サイトの受信光信号が目標基準を満足するか否かを判定しているため、構築ネットワークの途中にある個々のサイトで出力光信号が必ずしも目標基準を達成している必要はない。従って、例えば、構築ネットワークの途中サイトにおいて、ＤＣＦでは十分に補償できない程度の波長分散が発生しても、ネットワーク後半で発生する波長分散が少なければ、後続サイトのＤＣＦによる波長分散補償によって、最終サイトの受信光信号に現れる分散値を目標基準に収めることが可能となる。
【００７９】
尚、ＤＣＦ、ＡＴＴ、光アンプの各配置評価アルゴリズム２２０〜２４０において、想定された全ての部品配置パタンが目標基準を満足できなかった場合、与えられた光ファイバと伝送装置部品では、エンド・エンド間の全ての伝送装置を光増幅中継装置で構成することは不可能であることを意味している。この場合は、構築すべき光ネットワーク区間の中間に位置したサイト、あるいは、顧客が要望した特定サイトに再生中継装置を設置することにし、上記サイトを１つの端局として光ネットワークを２つのサブネットワークに分割し、各サブネットワークを設計対象として、シミュレーションプログラム２００を実行し直す。
【００８０】
図１に示した実施例では、ＤＣＦ、微調整用部品（ＡＴＴ）、光アンプの順で各サイトに配置すべき部品種別を決定したが、微調整用部品の配置を決定した後、ＤＣＦ配置を決定するようにしてもよい。この場合、ＤＣＦ配置評価アルゴリズムでは、微調整用部品の挿入効果を考慮に入れてシミュレーションを行い、各サイトに配置すべきＤＣＦ種別を決定することになる。
【００８１】
シミュレーション結果に従って各サイトに伝送装置が設置され、ネットワークシステムが正常に動作することが確認されると、今回のシミュレーション結果が有効であったことを実績データファイル２０に記録する。また、各サイトで調整作業を必要とした場合は、シミュレーション結果と対応付けて上記調整作業の内容を実績データファイル２０に登録しておくことにより、次回の設計に反映する。
【００８２】
以上の説明から明らかなように、本発明によれば、ネットワーク構成要素の実測データを適用してシミュレーションを実行することによって、各サイトに設置すべき伝送装置の構成を決定しているため、シミュレーション結果に従って各サイトに伝送装置を設置することによって、光ネットワークを速やかに構築することが可能となる。
【００８３】
また、伝送装置（光増幅中継装置）の構成部品を光ネットワークの全サイトに配置した状態でシミュレーションを実行し、エンド・エンドの光信号の状態を評価するようにして、最適な部品配置を決定するようにしているため、途中のサイトで単独では目標性能を達成できない状態となっていても、最終段階で良好な信号状態となる実用的な光ネットワークシステムを構築することができ、光増幅中継装置による中継距離を延長することが可能となる。
【００８４】
更に、ダークファイバを使用して光ネットワークを構築する場合に、実施例で述べたように、サーベイ時に検出された不良箇所に対して、コネクタ部の清浄化や曲がり部分の矯正等の補修作業を施し、不具合を解消した状態でファイバ特性データを収集し、これをシミュレーションに適用することによって、光増幅中継装置による中継区間の一層の延長と、障害の未然防止が可能となる。
【００８５】
【発明の効果】
以上の実施例から明らかなように、本発明によれば、ネットワーク構成要素の実測データを適用し、構築対象となる光ネットワークの全サイトを視野において各サイトの構成を決定するようにしているため、光増幅装置による中継区間を延長し、再生中継サイト数を低減した光ネットワークを提供することが可能となる。また、事前のシミュレーションによって、各サイトに設置すべき中継装置の構成を明示できるため、現地において中継装置の設置作業を迅速、且つ、正確に行なうことができる。
【図面の簡単な説明】
【図１】本発明による光ネットワークの構築方法の全体的な手順を示すフローチャート。
【図２】光基幹ネットワークの構成の１例を示す図。
【図３】図２の光基幹ネットワークにおけるサイトＡとサイトＤとの間のネットワーク構造を簡略化して示した図。
【図４】図３における再生中継装置６の構成を示す図。
【図５】本発明で構築される図３に対応した光ネットワークの構成を示す図。
【図６】図５における光増幅中継装置８の１実施例を示す図。
【図７】アンプ８１０で発生する利得スロープと利得スロープ補償器８１１の特性との関係を説明するための図。
【図８】シミュレータ１０の１実施例を示すブロック図。
【図９】ＤＣＦデータファイル領域３１に読み込まれるＤＣＦデータ３１０の１例を示す図。
【図１０】ＡＴＴデータファイル領域３２に読み込まれるＡＴＴデータ３２０の１例を示す図。
【図１１】光アンプデータファイル領域３３に読み込まれる光アンプデータ３３０の１例を示す図。
【図１２】ファイバデータファイル領域４１に読み込まれるファイバデータ４１０の１例を示す図。
【図１３】シミュレータ１０のプロセッサ１１が実行するシミュレーションプログラム２００の１実施例を示すフローチャート。
【図１４】ＤＣＦ配置評価アルゴリズム２２０の１実施例を示すフローチャート。
【図１５】ＡＴＴ配置評価アルゴリズム２３０の１実施例を示すフローチャート。
【図１６】光アンプ配置評価アルゴリズム２３０の１実施例を示すフローチャート。
【図１７】ＤＣＦ配置パタンテーブル５１０の１実施例を示す図。
【符号の説明】
Ｓ：光ファイバ、６：再生中継装置、８：光増幅中継装置、
１０：シミュレータ、１１：プロセッサ、１２：入出力装置、
１３：プログラムメモリ、１４、１５：データメモリ、
２０：実績データファイル、３０：装置データファイル、
４０：ファイバデータファイル、８１、８１０：光アンプ、
８１１：利得スロープ補償器、８２：光減衰器（ＡＴＴ）、
８３：波長分散補償器（ＤＣＦ）、２００：シミュレーションプログラム。
【図１】
2004363864.tif 000003
【図２】
2004363864.tif 000004
【図３】
2004363864.tif 000005
【図４】
2004363864.tif 000006
【図５】
2004363864.tif 000007
【図６】
2004363864.tif 000008
【図７】
2004363864.tif 000009
【図８】
2004363864.tif 000010
【図９】
2004363864.tif 000011
【図１０】
2004363864.tif 000012
【図１１】
2004363864.tif 000013
【図１２】
2004363864.tif 000014
【図１３】
2004363864.tif 000015
【図１４】
2004363864.tif 000016
【図１５】
2004363864.tif 000017
【図１６】
2004363864.tif 000018
【図１７】
2004363864.tif 000019